(57)【要約】【課題】  枠体を形成したフロントパネルに表示パネルを嵌めた表示装置であって、表示パネルのサイズが変化しても回路基板を取付ける基板取付けホルダーが共通化できる表示装置の提供。【解決手段】  表示パネル４の背面側に回路基板２，３を取付けた基板取付けホルダー１を備え、フロントパネル５には固定金具６，７を取着し、この固定金具６，７を介して上記基板取付けホルダー１を取付けている。【選択図】    図２
2008116717.tif 000002
【特許請求の範囲】
【請求項１】
枠体を形成したフロントパネルに表示パネルを嵌めて取付け、この表示パネルの背面側に回路基板を取付けた基板取付けホルダーを備えた表示装置において、上記フロントパネルには固定金具を取着し、この固定金具を介して上記基板取付けホルダーを取付けたことを特徴とする表示装置。
【請求項２】
上記フロントパネル背面側の上部と背面側下部に固定金具をネジ止めした請求項１記載の表示装置。
【発明の詳細な説明】
【技術分野】
【０００１】
本発明は基板取付けホルダーを備えた表示装置であり、より詳しくは異なるサイズの表示パネルであっても共通の基板取付けホルダーを使うことが出来る表示装置に関するものである。
【背景技術】
【０００２】
薄型テレビなどの表示装置は、画像を形成する表示パネルと、この表示パネル裏側に配置されて該表示パネルを支持するシャーシベースと、シャーシベースの裏面側に設置される回路基板と、表示パネルとシャーシベースと回路基板を囲む為の外形を形成するケースとで構成されている。そして、該ケースは表示パネルの前側に位置するフロントパネルと、表示パネルの後側に位置するバックパネルとから成り、フロントパネルとバックパネルは互いに分離が可能なようにネジ止めされた連結構造と成っている。
【０００３】
例えば薄型テレビの場合、シャーシベースに装着される回路基板としては、パワーサプライ基板、イメージ処理基板、ロジック基板、アドレスバッファー基板、維持電極駆動基板、走査電極駆動基板などがあるが、これらの各回路基板は、シャーシベースに多数備えられて、それぞれに対応するボス部(台座)にネジ止めで固定されている。ところで、このようなシャーシベースは多数の台座を備えており、回路基板を装着する際には多くの取付けネジを必要とするため、これに伴う費用を増加させ、また多数の取付けネジを取扱うために作業性が必然的に低下してしまう。
【０００４】
又、薄型テレビ等の製造工程においては、シャーシベースは機種によって異なる回路基板構成に応じて複数種類用意しておく必要があるが、これら異なる種類のシャーシベースにおいては、各回路基板が取付けられる台座が該回路基板の大小並びに取付け位置に応じて異なる位置に設けられている。そのため、シャーシベースを共通化するために、すべての機種に必要な台座を形成しておき、回路基板の種類に応じて台座を選択的に使用することが出来る構造とする場合もある。
【０００５】
図１０(ａ)は液晶テレビの回路基板取り付け構造を表している従来の具体例であり、フロントパネル（イ）には基板取付けホルダー（ロ）がネジ止めされている。そして、該基板取付けホルダー（ロ）には各種の電子部品が装着されている回路基板（ハ）、（ニ）、（ホ）が取付けられている。この基板取付けホルダー（ロ）は前記シャーシベースに相当する。同図の(ｂ)は基板取付けホルダー（ロ）を単独で表しているが、一般には金属板を打抜き成形したもので、外周には複数の固定片（ヘ）、（ヘ）・・・を設け、内部には回路基板（ハ）、（ニ）、（ホ）が載置される台座及びネジ止めするためのネジ穴が設けられている。
【０００６】
ところで、色々な回路基板が取付けできるように、基板取付けホルダー（ロ）には台座及びネジ穴を色々な箇所に設けることは可能である。しかし、回路基板（ハ）、（ニ）、（ホ）が取付けられる基板取付けホルダー（ロ）はフロントパネル（イ）の外周背面側にネジ止めされる為に、表示パネルのサイズが変わることでフロントパネル（イ）の大きさが変化するならば、該基板取付けホルダー（ロ）のサイズも変えなくては成らない。
【０００７】
特開２００５−３３１９４８号に係る「プラズマディスプレイ装置」は、シャーシベースに回路基板を装着するにおいて費用を低減させ、作業性を向上させるプラズマディスプレイ装置であり、該プラズマディスプレイ装置は、表示パネルと、表示パネルを付着支持するシャーシベース、及び前記シャーシベースの表示パネルの反対側に設置される回路基板を含み、前記シャーシベースは、前記回路基板に対応して多数配置されるボス部及び支持部材を備えている。
【０００８】
その為に、取付けネジの個数を減少して費用を低減させ、作業工程数を減少して作業性を向上することが出来る。しかし、シャーシベースは表示パネルの形状に対応する形状となっていることから、表示パネルのサイズが変わればシャーシベースのサイズも変わり、結果的に表示パネルのサイズが変わった場合には共通のシャーシベースを使うことは出来ない。
【０００９】
又、特開２００６−６５１３９号に係る「電子機器、及び薄型表示装置」は、同一サイズの液晶テレビ等の薄型表示装置を生産する工程において、機種ごとに基板構成が異なる場合でも基板が取り付けられるシャーシフレーム(シャーシベース)を共通化して部品種類を削減することが出来る。
【００１０】
そこで、 バックライト装置の背面を構成するバックライトシャーシの背面に、樹脂製のシャーシフレームをビス止めにより装着し、該シャーシフレーム上に回路基板をビス止めにより取り付ける構造をした液晶テレビにおいて、前記回路基板の配置構成が機種ごとに異なる場合に、前記シャーシフレームに形成される基板取付孔中で機種ごとに使用不使用が異なる取付孔の内側に薄膜からなる隔壁を形成する。取付孔に基板を取り付けるときはタッピンビスにより隔壁を破断し、基板が取り付けられないときは、隔壁により、バックライトからの光を遮断する。
【００１１】
この電子機器及び薄型表示装置に場合も、表示パネルのサイズが変わればシャーシフレーム(シャーシベース)のサイズも変わる為に、結果的に表示パネルのサイズが変わった場合には共通のシャーシフレームを使うことは出来ない。
【特許文献１】特開２００５−３３１９４８号に係る「プラズマディスプレイ装置」
【特許文献２】特開２００６−６５１３９号に係る「電子機器、及び薄型表示装置」
【発明の開示】
【発明が解決しようとする課題】
【００１２】
このように、従来の薄型テレビの回路基板の取付けには上記のごとき問題がある。本発明が解決しようとする課題はこの問題点であり、表示パネルのサイズが違っても共通の基板取付けホルダーを使うことが出来、又回路基板レイアウトを共通化することでノイズ対策を同じ構造で行うことが出来る基板取付けホルダーを備えた表示装置を提供する。
【課題を解決するための手段】
【００１３】
本発明に係る液晶テレビなどを含む表示装置は、枠体を形成するフロントパネルに表示パネルが嵌って取付けられ、表示パネルの背面側には固定金具がフロントパネルにネジ止めされている。そして、該固定金具には基板取付けホルダーが取付けられ、この基板取付けホルダーには各種の回路基板が取付けられている。
【００１４】
本発明では基板取付けホルダーを共通し、その為に固定金具を表示パネルのサイズに応じて変更可能な構造としている。本発明では基板取付けホルダーに取付けられる各回路基板の基本構造を統一化するが、回路基板に装着される電子部品は機種に応じて変更可能である。そして、表示装置の背面側にはバックパネルを取付けて背面側をカバーしている。
【発明の効果】
【００１５】
本発明に係る表示装置は共通する基板取付けホルダーを備えている。従って、表示パネルのサイズが違っても同じ基板取付けホルダーを使用し、該基板取付けホルダーに複数の回路基板を取付けることが出来る。その為に基板取付けホルダーに取付けられる回路基板構造のレイアウトは共通化できる。そして、基板取付けホルダーは固定金具を介して表示パネルの背面側に取付けられる。
【００１６】
固定金具は表示パネル及びフロントパネルの大きさに応じて適当なサイズ及び形状とされ、基板取付けホルダーが共通化することで、コストの削減のみならず、表示パネルの大きさが変化しても基板取付けホルダーに取付けられる回路基板のレイアウトが共通する為に、ノイズ対策を同じような方法で行うことが出来、機種ごとのノイズ対策は不要となる。
【実施例】
【００１７】
図１は基板取付けホルダー１に回路基板２，３が取付けられている場合である。回路基板２，３には複数の色々な電子部品が装着されて、所定の電子回路を構成している。本発明ではこの回路基板２，３を取付けている基板取付けホルダー１を共通化してあらゆるサイズの表示パネルを備えた液晶テレビなどを組立てることが出来るようにしている。
【００１８】
図２は液晶テレビのバックパネルを取外した状態を表しているが、表示パネル４はフロントパネル５に嵌って固定され、この表示パネル４の背面側には上記基板取付けホルダー１がフロントパネル５に取着している固定金具６，７を介して取付けられている。固定金具６，７はフロントパネル５の背面側上部と背面側下部にネジ止めされていて、この両固定金具６，７に上記基板取付けホルダー１の上端部と下端部が載置された状態でネジ止めされている。
【００１９】
図３はバックパネルを取付ける場合の支えとなるフレーム１２，１２を背後に備えた状態であり、基板取付けホルダー１はフロントパネル５の枠体サイズが変化する場合であっても、上記固定金具６，７を適当なサイズに変更することで共通化した基板取付けホルダー１を表示パネル４の背面側に取付けできる。図４はバックパネルを取外した状態の別の液晶テレビの背面図である。
【００２０】
図４と図２と比較するに、固定金具６，７の形状が違っているが、基板取付けホルダー１は同じである。ただし、基板取付けホルダー１に取付けられている回路基板に装着された電子部品の種類は多少違っている。図５は図４にバックパネルを支える為のフレーム１２，１２を取付けた場合であり、図３の場合と比較して基板取付けホルダー１の大きさ・形状は共通している。
【００２１】
図６は基板取付けホルダー１の具体例である。同図に示す基板取付けホルダー１は金属製の概略長方形板を成し、所々には回路基板が載置される台座８，８・・が表面から僅かに突出して設けられ、台座８，８・・にはネジ止めされる穴が設けられている。この台座８はホルダー本体９の一部を打ち抜いて曲げ成形することで作られている。そして、同図の１０ａ，１０ｂ，１０ｃはホルダー本体９に形成した凹部であり、基板取付けホルダー１の剛性を高めている。
【００２２】
図７は基板取付けホルダー１に回路基板２，３を載置して取付けた場合であり、実際には回路基板２，３には各種電子部品が装着されて電子回路を構成している。回路基板２，３は台座８，８・・に載置されることでホルダー本体９の表面に接することなく取付けられる。図８は基板取付けホルダー１を固定金具６，７に載置して固定した場合を示している。
【００２３】
固定金具６，７は金属製の概略長方形板であり、薄い金属板の剛性を高める為に所々に凹部１１ａ，１１ｂ，１１ｃ・・を形成している。すなわち、金属板を所定の形状に打抜き加工すると共に、絞り加工を施して各凹部１１ａ，１１ｂ・・を加工することが出来る。固定金具６はフロントパネル５の背面下側にネジ止めされ、同じく固定金具７はフロントパネル５の背面上側にネジ止めされる。
【００２４】
図９は同じように基板取付けホルダー１を固定金具６，７に取付けた場合であり、該基板取付けホルダー１の大きさ・形状は同じである。しかし、固定金具６，７の形状は前記図８の固定金具６，７とは多少違っている。このように本発明は基板取付けホルダー１を共通化し、液晶パネルなどの表示装置の表示パネル４のサイズが変化する場合には、両固定金具６，７の大きさ・形状を変更することで対処可能としている。
【図面の簡単な説明】
【００２５】
【図１】回路基板を取付けた基板取付けホルダーの具体例。
【図２】表示パネルを嵌めたフロントパネルの背面に固定金具を介して基板取付けホルダーを備えた液晶テレビの背面図。
【図３】液晶テレビのバックパネルを外した背面図。
【図４】表示パネルを嵌めたフロントパネルの背面に固定金具を介して基板取付けホルダーを備えた液晶テレビの背面図。
【図５】液晶テレビのバックパネルを外した背面図。
【図６】基板取付けホルダーの具体例。
【図７】回路基板を取付けた基板取付けホルダー。
【図８】固定金具に取付けた基板取付けホルダー。
【図９】固定金具に取付けた基板取付けホルダー。
【図１０】フロントパネル背面に取付けた従来の基板取付けホルダー。
【符号の説明】
【００２６】
１  基板取付けホルダー
２  回路基板
３  回路基板
４  表示パネル
５  フロントパネル
６  固定金具
７  固定金具
８  台座
９  ホルダー本体
10  凹部
11  凹部
12  フレーム
【図１】
2008116717.tif 000003
【図２】
2008116717.tif 000004
【図３】
2008116717.tif 000005
【図４】
2008116717.tif 000006
【図５】
2008116717.tif 000007
【図６】
2008116717.tif 000008
【図７】
2008116717.tif 000009
【図８】
2008116717.tif 000010
【図９】
2008116717.tif 000011
【図１０】
2008116717.tif 000012